(57)【要約】【課題】本発明は、一定のアドレス放電を生じることができるプラズマディスプレイ装置の駆動方法を提供する。【解決手段】本発明のプラズマディスプレイ装置の駆動方法は、ｍ番目のスキャン電極群と、該ｍ番目のスキャン電極群より遅くスキャンされるｎ番目のスキャン電極群とを含むプラズマディスプレイ装置の駆動方法において、リセット期間のセットアップ期間において、前記ｍ番目のスキャン電極群に第１の電圧から第２の電圧まで立ち上がる第１のセットアップパルスを供給するステップと、前記リセット期間のセットアップ期間において、前記ｎ番目のスキャン電極群に前記第１の電圧から前記第２の電圧より高い第３の電圧まで立ち上がる第２のセットアップパルスを供給するステップとを含むことを特徴とする。【選択図】図１ｂ
2007079574.tif 000002
【特許請求の範囲】
【請求項１】
ｍ番目のスキャン電極群と、該ｍ番目のスキャン電極群より遅くスキャンされるｎ番目のスキャン電極群とを含むプラズマディスプレイ装置の駆動方法において、
リセット期間のセットアップ期間において、前記ｍ番目のスキャン電極群に第１の電圧から第２の電圧まで立ち上がる第１のセットアップパルスを供給するステップと、
前記リセット期間のセットアップ期間において、前記ｎ番目のスキャン電極群に前記第１の電圧から前記第２の電圧より高い第３の電圧まで立ち上がる第２のセットアップパルスを供給するステップと
を含むことを特徴とするプラズマディスプレイ装置の駆動方法。
【請求項２】
前記第２の電圧が維持される持続時間は、前記第３の電圧が維持される持続時間より長いことを特徴とする請求項１に記載のプラズマディスプレイ装置の駆動方法。
【請求項３】
前記第１のセットアップパルスの傾きは、前記第２のセットアップパルスの傾きと実質的に同じであることを特徴とする請求項１に記載のプラズマディスプレイ装置の駆動方法。
【請求項４】
前記ｍ番目のスキャン電極群に含まれたスキャン電極の個数は、前記ｎ番目のスキャン電極群に含まれたスキャン電極の個数と同じであることを特徴とする請求項１に記載のプラズマディスプレイ装置の駆動方法。
【請求項５】
前記ｍ番目のスキャン電極群に含まれたスキャン電極の個数が増加するほど、前記第２の電圧の大きさは増加することを特徴とする請求項１に記載のプラズマディスプレイ装置の駆動方法。
【請求項６】
前記第１のセットアップパルスの供給期間は、前記第２のセットアップパルスの供給期間より短いことを特徴とする請求項１に記載のプラズマディスプレイ装置の駆動方法。
【請求項７】
前記ｍ番目のスキャン電極群に供給されるセットダウンパルスの供給期間は、前記ｎ番目のスキャン電極群に供給されるセットダウンパルスの供給期間と実質的に同じであることを特徴とする請求項１に記載のプラズマディスプレイ装置の駆動方法。
【請求項８】
ｐ番目のスキャン電極と、該ｐ番目のスキャン電極より遅くスキャンされるｑ番目のスキャン電極とを含むプラズマディスプレイ装置の駆動方法において、
リセット期間のセットアップ期間において、前記ｐ番目のスキャン電極に第１の電圧から第２の電圧まで立ち上がる第１のセットアップパルスを供給するステップと、
前記リセット期間のセットアップ期間において、前記ｑ番目のスキャン電極に前記第１の電圧から前記第２の電圧より高い第３の電圧まで立ち上がる第２のセットアップパルスを供給するステップと
を含むことを特徴とするプラズマディスプレイ装置の駆動方法。
【請求項９】
前記ｐ番目のスキャン電極と前記ｑ番目のスキャン電極とは互いに隣接しており、
前記ｐ番目のスキャン電極に供給されたスキャンパルスの供給終了時点と前記ｑ番目のスキャン電極に供給されたスキャンパルスの供給開始時点との間に休止期間があることを特徴とする請求項８に記載のプラズマディスプレイ装置の駆動方法。
【請求項１０】
前記休止期間は、５０ｎｓ以上、１００μｓ以下であることを特徴とする請求項９に記載のプラズマディスプレイ装置の駆動方法。
【請求項１１】
ｍ番目のスキャン電極群と、該ｍ番目のスキャン電極群より遅くスキャンされるｎ番目のスキャン電極群とを含むプラズマディスプレイ装置の駆動方法において、
リセット期間のセットダウン期間において、前記ｍ番目のスキャン電極群に第１の電圧から第２の電圧まで立ち下がる第１のセットダウンパルスを供給するステップと、
前記リセット期間のセットダウン期間において、前記ｎ番目のスキャン電極群に前記第１の電圧から前記第２の電圧より高い第３の電圧まで立ち下がる第２のセットダウンパルスを供給するステップと
を含むことを特徴とするプラズマディスプレイ装置の駆動方法。
【請求項１２】
前記第２の電圧が維持される持続時間は、前記第３の電圧が維持される持続時間より短いことを特徴とする請求項１１に記載のプラズマディスプレイ装置の駆動方法。
【請求項１３】
前記第１のセットダウンパルスの傾きが、前記第２のセットダウンパルスの傾きと実質的に同じであることを特徴とする請求項１１に記載のプラズマディスプレイ装置の駆動方法。
【請求項１４】
前記ｍ番目のスキャン電極群に含まれたスキャン電極の個数は、前記ｎ番目のスキャン電極群に含まれたスキャン電極の個数と同じであることを特徴とする請求項１１に記載のプラズマディスプレイ装置の駆動方法。
【請求項１５】
前記ｎ番目のスキャン電極群に含まれたスキャン電極の個数が小さくなるほど、前記第３の電圧は大きくなることを特徴とする請求項１１に記載のプラズマディスプレイ装置の駆動方法。
【請求項１６】
前記第１のセットダウンパルスの供給期間は、前記第２のセットダウンパルスの供給期間より長いことを特徴とする請求項１１に記載のプラズマディスプレイ装置の駆動方法。
【請求項１７】
前記ｍ番目のスキャン電極群に供給されるセットアップパルスの供給期間は、前記ｎ番目のスキャン電極群に供給されるセットアップパルスの供給期間と実質的に同じであることを特徴とする請求項１１に記載のプラズマディスプレイ装置の駆動方法。
【請求項１８】
ｐ番目のスキャン電極と、該ｐ番目のスキャン電極より遅くスキャンされるｑ番目のスキャン電極とを含むプラズマディスプレイ装置の駆動方法において、
リセット期間のセットダウン期間において、前記ｐ番目のスキャン電極に第１の電圧から第２の電圧まで立ち下がる第１のセットダウンパルスを供給するステップと、
前記リセット期間のセットダウン期間において、前記ｑ番目のスキャン電極に前記第１の電圧から前記第２の電圧より高い第３の電圧まで立ち下がる第２のセットダウンパルスを供給するステップと
を含むことを特徴とするプラズマディスプレイ装置の駆動方法。
【請求項１９】
前記ｐ番目のスキャン電極と前記ｑ番目のスキャン電極とは互いに隣接しており、
前記ｐ番目のスキャン電極に供給されたスキャンパルスの供給終了時点と前記ｑ番目のスキャン電極に供給されたスキャンパルスの供給開始時点との間に休止期間があることを特徴とする請求項１８に記載のプラズマディスプレイ装置の駆動方法。
【請求項２０】
前記休止期間は、５０ｎｓ以上、１００μｓ以下であることを特徴とする請求項１９に記載のプラズマディスプレイ装置の駆動方法。
【発明の詳細な説明】
【技術分野】
【０００１】
本発明は、プラズマディスプレイ装置の駆動方法に関する。
【背景技術】
【０００２】
プラズマディスプレイ装置は、放電セル内に主放電気体と不活性ガスとが充填されたプラズマディスプレイパネルを含む。高周波電圧がプラズマディスプレイパネルの電極に供給されれば、不活性ガスは、真空紫外線（Vacuum Ultraviolet rays）を発生し、真空紫外線は、プラズマディスプレイパネルの隔壁間に形成された蛍光体を発光させる。
【０００３】
プラズマディスプレイ装置は、フレームを構成するサブフィールドごとに画像を表示する。各サブフィールドは、放電セルを初期化させるためのリセット期間、放電されるセルを選択するためのアドレス期間及び放電回数に応じて階調を具現するサステイン期間を含む。
【０００４】
リセット期間のセットアップ期間には、スキャン電極にセットアップパルスが供給される。セットアップパルスにより弱い暗放電（Dark Discharge）が放電セルにおいて生じる。セットアップパルスによる暗放電によってプラズマディスプレイパネルのアドレス電極とサステイン電極上には正極性壁電荷が積まれ、スキャン電極上には負極性の壁電荷が積まれる。
【０００５】
リセット期間のセットダウン期間には、スキャン電極にセットダウンパルスが供給される。セットダウンパルスによりスキャン電極に過度に形成された壁電荷の一部が消去され、放電セルの壁電荷が均一となる。
【０００６】
アドレス期間には、スキャンパルスがスキャン電極に供給され、アドレス電極にデータパルスが供給される。スキャンパルスとデータパルスとの電圧差と、リセット期間に生成された壁電圧が加えられることによって放電セルが選択される。
【０００７】
サステイン期間には、スキャン電極とサステイン電極にサステインパルスが供給され、アドレス期間に選択された放電セルにおいてサステイン放電が発生する。これにより、プラズマディスプレイ装置は画像を表示する。
【０００８】
アドレス期間に、スキャン電極にスキャンパルスが順次供給されるので、スキャンパルスが先に供給されたスキャン電極上の壁電荷量と、スキャンパルスが後で供給されたスキャン電極上の壁電荷量とは異なる。すなわち、スキャン順序の遅いスキャン電極上の壁電荷であるほど、セットダウン期間後スキャンパルスが供給される時点までの時間差が大きくなるので、放電セルの空間電荷と壁電荷が結合する可能性が大きくなる。これにより、スキャン順序の早いスキャン電極上の壁電荷量がスキャン順序の遅いスキャン電極上の壁電荷量より多く、スキャン電極の位置に応じてアドレス放電の強さが異なるようになる。アドレス放電の強さが異なるようになるにつれて放電セル間の輝度差が発生する可能性が大きくなる。特に、放電セルの空間電荷と壁電荷との結合が増加すれば、サステイン放電が生じることができる壁電荷量より小さくなり、サステイン放電が生じない可能性も大きくなる。
【発明の開示】
【発明が解決しようとする課題】
【０００９】
本発明は、上記の従来の問題を解決するためになされたものであって、その目的は、一定のアドレス放電を生じることができるプラズマディスプレイ装置の駆動方法を提供することにある。
【課題を解決するための手段】
【００１０】
ｍ番目のスキャン電極群と、該ｍ番目のスキャン電極群より遅くスキャンされるｎ番目のスキャン電極群とを含むプラズマディスプレイ装置の駆動方法は、リセット期間のセットアップ期間において、前記ｍ番目のスキャン電極群に第１の電圧から第２の電圧まで立ち上がる第１のセットアップパルスを供給するステップと、前記リセット期間のセットアップ期間において、前記ｎ番目のスキャン電極群に前記第１の電圧から前記第２の電圧より高い第３の電圧まで立ち上がる第２のセットアップパルスを供給するステップとを含む。
【００１１】
前記第２の電圧が維持される持続時間が、前記第３の電圧が維持される持続時間より長いことができる。
【００１２】
前記第１のセットアップパルスの傾きが、前記第２のセットアップパルスの傾きと実質的に同じであり得る。
【００１３】
前記ｍ番目のスキャン電極群に含まれたスキャン電極の個数が、前記ｎ番目のスキャン電極群に含まれたスキャン電極の個数と同じであり得る。
【００１４】
前記ｍ番目のスキャン電極群に含まれたスキャン電極の個数が増加するほど、前記第２の電圧の大きさは増加することができる。
【００１５】
前記第１のセットアップパルスの供給期間が、前記第２のセットアップパルスの供給期間より短いことができる。
【００１６】
前記ｍ番目のスキャン電極群に供給されるセットダウンパルスの供給期間が、前記ｎ番目のスキャン電極群に供給されるセットダウンパルスの供給期間と実質的に同じであり得る。
【００１７】
ｐ番目のスキャン電極と、該ｐ番目のスキャン電極より遅くスキャンされるｑ番目のスキャン電極とを含むプラズマディスプレイ装置の駆動方法は、リセット期間のセットアップ期間において、前記ｐ番目のスキャン電極に第１の電圧から第２の電圧まで立ち上がる第１のセットアップパルスを供給するステップと、前記リセット期間のセットアップ期間において、前記ｑ番目のスキャン電極に前記第１の電圧から前記第２の電圧より高い第３の電圧まで立ち上がる第２のセットアップパルスを供給するステップとを含む。
【００１８】
前記ｐ番目のスキャン電極と前記ｑ番目のスキャン電極とは互いに隣接しており、前記ｐ番目のスキャン電極に供給されたスキャンパルスの供給終了時点と前記ｑ番目のスキャン電極に供給されたスキャンパルスの供給開始時点との間に休止期間があり得る。
【００１９】
前記休止期間は、５０ｎｓ以上、１００μｓ以下であり得る。
【００２０】
ｍ番目のスキャン電極群と、該ｍ番目のスキャン電極群より遅くスキャンされるｎ番目のスキャン電極群とを含むプラズマディスプレイ装置の駆動方法は、リセット期間のセットダウン期間で前記ｍ番目のスキャン電極群に第１の電圧から第２の電圧まで立ち下がる第１のセットダウンパルスを供給するステップと、前記リセット期間のセットダウン期間において、前記ｎ番目のスキャン電極群に前記第１の電圧から前記第２の電圧より高い第３の電圧まで立ち下がる第２のセットダウンパルスを供給するステップとを含む。
【００２１】
前記第２の電圧が維持される持続時間が、前記第３の電圧が維持される持続時間より短いことができる。
【００２２】
前記第１のセットダウンパルスの傾きが、前記第２のセットダウンパルスの傾きと実質的に同じであり得る。
【００２３】
前記ｍ番目のスキャン電極群に含まれたスキャン電極の個数が、前記ｎ番目のスキャン電極群に含まれたスキャン電極の個数と同じであり得る。
【００２４】
前記ｎ番目のスキャン電極群に含まれたスキャン電極の個数が小さくなるほど、前記第３の電圧は大きくなることができる。
【００２５】
前記第１のセットダウンパルスの供給期間が、前記第２のセットダウンパルスの供給期間より長いことができる。
【００２６】
前記ｍ番目のスキャン電極群に供給されるセットアップパルスの供給期間が、前記ｎ番目のスキャン電極群に供給されるセットアップパルスの供給期間と実質的に同じであり得る。
【００２７】
ｐ番目のスキャン電極と、該ｐ番目のスキャン電極より遅くスキャンされるｑ番目のスキャン電極とを含むプラズマディスプレイ装置の駆動方法は、リセット期間のセットダウン期間において、前記ｐ番目のスキャン電極に第１の電圧から第２の電圧まで立ち下がる第１のセットダウンパルスを供給するステップと、前記リセット期間のセットダウン期間において、前記ｑ番目のスキャン電極に前記第１の電圧から前記第２の電圧より高い第３の電圧まで立ち下がる第２のセットダウンパルスを供給するステップとを含む。
【００２８】
前記ｐ番目のスキャン電極と前記ｑ番目のスキャン電極とは互いに隣接しており、前記ｐ番目のスキャン電極に供給されたスキャンパルスの供給終了時点と前記ｑ番目のスキャン電極に供給されたスキャンパルスの供給開始時点との間に休止期間があり得る。
【００２９】
前記休止期間は、５０ｎｓ以上、１００μｓ以下であり得る。
また、本発明に係るプラズマディスプレイ装置の駆動方法は、ｍ番目のスキャン電極群と、該ｍ番目のスキャン電極群より遅くスキャンされるｎ番目のスキャン電極群とを含むプラズマディスプレイ装置の駆動方法において、リセット期間のセットアップ期間において、ｍ番目のスキャン電極群に第１の電圧から第２の電圧まで上昇する第１のセットアップパルスを供給し、ｎ番目のスキャン電極群に第１の電圧から第２の電圧よりも高い第５の電圧まで上昇するセットアップパルスを供給するステップと、リセット期間のセットダウン期間において、ｍ番目のスキャン電極群に第３の電圧から第４の電圧まで下降するセットダウンパルスを供給し、ｎ番目のスキャン電極群に第３の電圧から第４の電圧よりも高い第６の電圧まで下降するセットダウンパルスを供給するステップと、を含むことを特徴とする。
【発明の効果】
【００３０】
本発明は、一定で、かつ、安定的なアドレス放電を発生させるプラズマディスプレイ装置の駆動方法を提供する。
【００３１】
また、本発明は、放電セル間の輝度差を減少させることができるプラズマディスプレイ装置の駆動方法を提供する。
【００３２】
なお、本発明は、画質を改善できるプラズマディスプレイ装置の駆動方法を提供する。
【発明を実施するための最良の形態】
【００３３】
以下、本発明の実施形態を添付された図面を参照して詳細に説明する。
【００３４】
（第１の実施形態）
図１ａ及び図１ｂは、本発明の第１の実施形態に係るプラズマディスプレイ装置を示したものである。図１ａに示すように、本発明の第１の実施形態に係るプラズマディスプレイ装置は、プラズマディスプレイパネル１００、データ駆動部１０１、スキャン駆動部１０２及びサステイン駆動部１０３を含む。
【００３５】
プラズマディスプレイパネル１００は、スキャン電極Ｙ１ないしＹｎ、サステイン電極Ｚ及びアドレス電極Ｘ１ないしＸｍを含む。
【００３６】
データ駆動部１０１は、逆ガンマ補正、誤差拡散及びサブフィールドマッピングがなされた映像信号に該当するデータパルスをアドレス電極Ｘ１ないしＸｍに供給する。
【００３７】
スキャン駆動部１０２は、リセット期間のセットアップ期間及びセットダウン期間の間、セットアップパルス及びセットダウンパルスをスキャン電極Ｙ１ないしＹｎに供給する。また、スキャン駆動部１０２は、アドレス期間に、スキャンパルスとサステイン期間にサステインパルスをスキャン電極Ｙ１ないしＹｎに供給する。
【００３８】
サステイン駆動部１０３は、セットダウン期間とアドレス期間の間、バイアス電圧をサステイン電極Ｚに供給し、サステイン期間の間、サステインパルスをサステイン電極Ｚに供給する。
【００３９】
図１ｂは、本発明の第１の実施形態に係るプラズマディスプレイ装置のスキャン駆動部を示したものである。図１ｂに示すように、本発明の第１の実施形態に係るプラズマディスプレイ装置のスキャン駆動部は、エネルギー回収回路部１１０、セットダウン供給部１２０、スキャン電圧供給部１３０、スキャンドライブ集積回路１４０及びセットアップ／スキャン基準電圧供給部１５０を含む。図１ｂのブロッキングスイッチＱｂは、スキャン電極Ｙにスキャンパルスが供給されるとき、エネルギー回収回路部１１０とセットダウン供給部１２０との間の電気的接続を遮断する。
【００４０】
エネルギー回収回路部１１０は、スキャン電極Ｙにサステイン電圧Ｖｓを供給し、スキャン電極Ｙから無効エネルギーを回収する。エネルギー回収回路部１１０は、スキャン電極Ｙから回収されるエネルギーを充填するためのエネルギー格納用キャパシタＣ１、無効エネルギーの供給及び回収の際、共振を形成するインダクターＬ１、無効エネルギーの供給のための経路を形成する第１のスイッチＱ１、無効エネルギーの回収のための経路を形成する第２のスイッチＱ２、サステイン電圧Ｖｓを供給する経路を形成する第３のスイッチＱ３及びグラウンドレベルＧＮＤの電圧を供給する経路を形成する第４のスイッチＱ４を含む。
【００４１】
セットダウン供給部１２０のブロッキングスイッチＱｂは、リセット期間のセットダウン期間にターンオフされ、第５のスイッチＱ５は、ターンオンされる。第５のスイッチＱ５は、スキャン電圧−Ｖｙまで次第に立ち下がるセットダウンパルスを形成する。セットダウンパルスのチャネル幅は、第２の可変抵抗ＶＲ２によりなされる。
【００４２】
スキャン電圧供給部１３０の第６のスイッチＱ６は、アドレス期間の間、スキャン基準電圧Ｖｓｃからスキャン電圧−Ｖｙまで立ち下がるスキャンパルスをスキャンドライブ集積回路１４０を介してスキャン電極Ｙに供給する。
【００４３】
スキャンドライブ集積回路１４０は、エネルギー回収回路部１１０、セットダウン供給部１２０及びスキャン電圧供給部１３０、セットアップ／スキャン基準電圧供給部１５０から出力される駆動パルスをスキャン電極Ｙに供給する。スキャンドライブ集積回路１４０のスキャントップスイッチＱＨ及びスキャンボトムスイッチＱＬ間の出力ラインは、スキャン電極Ｙに接続される。一つのスキャンドライブ集積回路１４０は、一つのスキャン電極Ｙに対応する。
【００４４】
セットアップ／スキャン基準電圧供給部１５０は、スキャンドライブ集積回路１４０を介してリセット期間のセットアップ期間においてエネルギー回収回路部１１０が供給するサステイン電圧Ｖｓから、該サステイン電圧Ｖｓとスキャン基準電圧Ｖｓｃとの合計まで次第に立ち上がるセットアップパルスをスキャン電極Ｙに供給し、アドレス期間に、スキャン電極Ｙにスキャン基準電圧Ｖｓｃを供給する。セットアップ／スキャン基準電圧供給部１５０は、電圧調整キャパシタＣ２と、セットアップ／スキャン共通スイッチＱｃｏｍと、エネルギー経路選択スイッチＱ９とを含む。セットアップ／スキャン基準電圧供給部１５０は、セットアップ／スキャン共通スイッチ１５２からスキャン基準電圧源に流れる逆電流を遮断する逆電流防止部Ｄ３がさらに含まれることができる。
【００４５】
電圧調整キャパシタＣ２は、スキャン基準電圧Ｖｓｃを格納する。これにより、電圧調整キャパシタＣ２に格納されたスキャン基準電圧Ｖｓｃとエネルギー回収回路部１１０が供給するサステイン電圧Ｖｓの合計Ｖｓ＋Ｖｓｃの電圧がセットアップ／スキャン共通スイッチＱｃｏｍに供給される。
【００４６】
セットアップ／スキャン共通スイッチＱｃｏｍは、リセット期間のセットアップ期間においてオンされ、サステイン電圧Ｖｓから次第に立ち上がるセットアップパルスをスキャン電極Ｙに供給し、アドレス期間においてスキャン基準電圧Ｖｓｃをスキャン電極Ｙに供給する。セットアップ／スキャン共通スイッチ１５２のゲートＧａｔｅ端子に第１の可変抵抗ＶＲ１が接続される。
【００４７】
図２ａ及び図２ｂは、本発明の第１の実施形態に係るプラズマディスプレイ装置のスキャン駆動部の動作を示したものである。
【００４８】
図２ａに示すように、リセット期間のセットアップ期間において図１ｂのエネルギー回収回路部１１０がサステイン電圧Ｖｓを供給し、電圧調整キャパシタＣ２がスキャン基準電圧Ｖｓを格納し、セットアップ／スキャン共通スイッチＱｃｏｍがターンオンする。これにより、サステイン電圧Ｖｓとスキャン基準電圧Ｖｓｃとの合計電圧Ｖｓ＋Ｖｓｃがセットアップ／スキャン共通スイッチ１５２に供給される。
【００４９】
セットアップ／スキャン共通スイッチ１５２は、第１の可変抵抗ＶＲ１によって調整されたチャネル幅を有したセットアップパルスをスキャンドライブ集積回路１４０を介してスキャン電極Ｙに供給する。セットアップパルスは、サステイン電圧Ｖｓから合計電圧Ｖｓ＋Ｖｓｃまで次第に立ち上がる。
【００５０】
リセット期間のセットダウン期間においてセットアップ／スキャン共通スイッチ１５２がターンオフする。図１ｂのセットダウン供給部１５０は、サステイン電圧Ｖｓから次第に立ち下がるセットダウンパルスをスキャンドライブ集積回路１４０を介して供給する。
【００５１】
このようなスキャン駆動部のセットアップ／スキャン共通スイッチＱｃｏｍの動作に応じてセットアップ／スキャン共通スイッチＱｃｏｍのターンオン維持期間によりセットアップパルスの最高電圧が決定される。すなわち、セットアップ／スキャン共通スイッチＱｃｏｍのターンオン維持期間が長くなるほど、セットアップパルスの最高電圧が高まる。
【００５２】
本発明の第１の実施形態に係るプラズマディスプレイ装置のスキャン駆動部は、一つ以上のスキャン電極を含むスキャン電極群を駆動できる。
【００５３】
図３ないし図５は、本発明の第１の実施形態に係るプラズマディスプレイ装置のスキャン駆動部により駆動されるスキャン電極群を示したものである。
【００５４】
図３に示すように、スキャン駆動部は、プラズマディスプレイパネル３００のＡスキャン電極群３０１とＢスキャン電極群３０２とを駆動できる。Ａスキャン電極群３０１は、Ｙａ１スキャン電極ないしＹａ（ｎ／２）スキャン電極を含む。Ｂスキャン電極群３０２は、Ｙｂ（（ｎ／２）＋１）スキャン電極ないしＹｂｎスキャン電極を含む。Ａスキャン電極群３０１に含まれたスキャン電極の個数は、Ｂスキャン電極群３０２に含まれたスキャン電極の個数と同じである。全体のスキャン電極群の個数が２個であれば、スキャン駆動部の製造単価を低減することができる。
【００５５】
スキャン駆動部は、一つのスキャン電極群に含まれるスキャン電極に順次スキャンパルスを供給する。すなわち、スキャン駆動部は、Ｙａ１スキャン電極からＹａ（ｎ／２）スキャン電極まで順次スキャンパルスを供給し、Ｙｂ（（ｎ／２）＋１）スキャン電極からＹｂｎスキャン電極まで順次スキャンパルスを供給する。
【００５６】
図４に示すように、スキャン駆動部は、プラズマディスプレイパネル４００のＡスキャン電極群４０１ないしＤスキャン電極群４０４を駆動できる。Ａスキャン電極群４０１は、Ｙａ１スキャン電極ないしＹａ（ｎ／４）スキャン電極を含む。Ｂスキャン電極群４０２は、Ｙｂ（（ｎ／４）＋１）スキャン電極ないしＹｂ（（２ｎ）／４）スキャン電極を含む。Ｃスキャン電極群４０３は、Ｙｃ（（２ｎ／４）＋１）スキャン電極ないしＹｃ（３ｎ）／４スキャン電極を含む。Ｄスキャン電極群４０４は、Ｙｄ（（３ｎ／４）＋１）スキャン電極ないしＹｄｎスキャン電極を含む。Ａスキャン電極群４０１ないしＤスキャン電極群４０４のそれぞれに含まれたスキャン電極の個数は互いに同じである。スキャン駆動部は、一つのスキャン電極群に含まれるスキャン電極に順次スキャンパルスを供給する。
【００５７】
また、図５に示すように、各スキャン電極群に含まれたスキャン電極の個数は、互いに異なることができる。例えば、Ａスキャン電極群５０１は、１０個のスキャン電極を、Ｂスキャン電極群５０２は、５個のスキャン電極を、Ｃスキャン電極群５０３は、１個のスキャン電極を、Ｄスキャン電極群５０４は、４４個のスキャン電極を、Ｅスキャン電極群５０５は、４０個のスキャン電極を含むことができる。また、複数個のスキャン電極群のうち、少なくとも一つのスキャン電極群に含まれたスキャン電極の個数は、残りのスキャン電極群に含まれたスキャン電極の個数と異なることができる。また、スキャン駆動部は、各スキャン電極群に含まれたスキャン電極に順次スキャンパルスを供給する。
【００５８】
図６ａ及び図６ｂは、本発明の第１の実施形態に係るプラズマディスプレイ装置の駆動信号を示したものである。スキャン駆動部は、Ｂスキャン電極群にＡスキャン電極群より遅くスキャンパルスを供給する。スキャン駆動部は、リセット期間のセットアップ期間において第１の電圧Ｖ１から第２の電圧Ｖ２まで立ち上がる第１のセットアップパルスをＡスキャン電極群に供給し、第１の電圧Ｖ１から第２の電圧Ｖ２より高い第３の電圧Ｖ３まで立ち上がる第２のセットアップパルスをＢスキャン電極群に供給する。これにより、さらに、図６ｂに示すように、第１のセットアップパルスの第２の電圧Ｖ２が維持される持続期間ｄ１が第２のセットアップパルスの第３の電圧Ｖ３が維持される持続時間ｄ２より長いことができる。また、スキャン駆動部がタイミング制御を容易にするために、第１のセットアップパルスの傾きと第２のセットアップパルスの傾きとは、実質的に同じであり得る。
【００５９】
スキャン駆動部は、リセット期間のセットダウン期間に、各スキャン電極群にセットダウンパルスを供給し、セットダウンパルスの供給期間ＳＤＰは、実質的に同じであり得る。
【００６０】
図６ｂは、図６ａの第１のセットアップパルス及び第２のセットアップパルスを詳細に示したものである。図６ｂに示すように、スキャン順序の早いＡスキャン電極群に供給される第１のセットアップパルスの最高電圧の大きさＶ２は、スキャン順序の遅いＢスキャン電極群に供給される第２のセットアップパルスの最高電圧の大きさＶ３より小さい。これにより、Ａスキャン電極群のリセット放電の強さは、Ｂスキャン電極群のリセット放電の強さより弱く、Ａスキャン電極群の壁電荷量もやはりＢスキャン電極群の壁電荷量より少ない。すなわち、Ｂスキャン電極群のセットアップ放電をＡスキャン電極群のセットアップ放電よりも強くすることにより、リセット期間終了時点のＢスキャン電極群の壁電荷量がＡスキャン電極群よりも大きくなる。
【００６１】
したがって、Ｂスキャン電極群上の壁電荷が空間電荷と結合して消去される電荷量が、Ａスキャン電極群上の壁電荷が空間電荷と結合して消去される電荷量より多くても、Ｂスキャン電極群上の壁電荷量がＡスキャン電極群上の壁電荷量より多いので、Ａスキャン電極群上の壁電荷量とＢスキャン電極群上の壁電荷量の差は減少する。すなわち、リセット期間終了時点におけるＢスキャン電極群の壁電荷量をＡスキャン電極群よりも大きくすることにより、アドレス期間においてスキャン順序によって発生する壁電荷量の差を補償することができる。
【００６２】
図７ａないし図７ｄは、本発明の第１の実施形態に係るプラズマディスプレイ装置のさらに他の駆動信号を示したものである。
【００６３】
図７ａのＡスキャン電極群及びＢスキャン電極群は、それぞれ１０個及び９０個のスキャン電極を含み、図７ｂのＡスキャン電極群及びＢスキャン電極群は、それぞれ９０個及び１０個のスキャン電極を含む。
【００６４】
図７ａに示すように、スキャン駆動部は、Ａスキャン電極群に第１の電圧Ｖ１から第２の電圧Ｖ２まで次第に立ち上がる第１のセットアップパルスを供給し、Ａスキャン電極群より遅くスキャンされるＢスキャン電極群に第１の電圧Ｖ１から第３の電圧Ｖ３まで次第に立ち上がる第２のセットアップパルスを供給する。第３の電圧Ｖ３は、第２の電圧Ｖ２より高い。
【００６５】
図７ｂに示すように、スキャン駆動部は、Ａスキャン電極群に第１の電圧Ｖ１から第２の電圧Ｖ２’まで次第に立ち上がる第１のセットアップパルスを供給し、Ａスキャン電極群より遅くスキャンされるＢスキャン電極群に第１の電圧Ｖ１から第３の電圧Ｖ３’まで次第に立ち上がる第２のセットアップパルスを供給する。第３の電圧Ｖ３’は、第２の電圧Ｖ２’より高い。
【００６６】
スキャン駆動部は、リセット期間のセットダウン期間に、各スキャン電極群にセットダウンパルスを供給し、セットダウンパルスの供給期間ＳＤＰは、実質的に同じであり得る。
【００６７】
図７ｃに示すように、図７ｂの第２の電圧Ｖ２’が図７ａの第２の電圧Ｖ２より高く、図７ｂの第２の電圧Ｖ２’が維持された持続期間ｄ１’が図７ａの第２の電圧Ｖ２が維持された持続期間ｄ１より小さい。また、図７ｂの第３の電圧Ｖ３’は、図７ａの第３の電圧Ｖ３と実質的に同じである。すなわち、Ａスキャン電極群に含まれたスキャン電極の個数が増加するほど、第２の電圧の大きさは増加することができる。
【００６８】
図７ｂの第２の電圧Ｖ２’が図７ａの第２の電圧Ｖ２より高い理由は、遅くスキャンされるＢスキャン電極群上の壁電荷量と、早くスキャンされるＡスキャン電極群上の壁電荷量との差を十分に補償するためである。
【００６９】
図８ａないし図８ｂは、本発明の第１の実施形態に係るプラズマディスプレイ装置のさらに他の駆動信号を示したものである。
【００７０】
図８ａに示すように、スキャン駆動部は、Ａスキャン電極群、Ｂスキャン電極群、Ｃスキャン電極群、及びＤスキャン電極群に順次セットアップパルスを供給し、Ａスキャン電極群、Ｂスキャン電極群、Ｃスキャン電極群、及びＤスキャン電極群のそれぞれに最高電圧Ｖ２、Ｖ３、Ｖ４、Ｖ５が互いに異なるセットアップパルスを供給することができる。図８ｂに示すように、スキャン順序が遅れるほど、セットアップパルスの最高電圧は増加することにより、スキャン順序の遅いスキャン電極上の壁電荷が空間電荷と結合して消去される電荷量が補償される。これにより、アドレス期間に安定したアドレス放電が生じ、放電セルの位置による輝度差が減少する。また、早くスキャンされるほど、セットアップパルスの最高電圧及び暗放電が減少してコントラスト特性が改善される。
【００７１】
スキャン駆動部は、リセット期間のセットダウン期間に、各スキャン電極群にセットダウンパルスを供給し、セットダウンパルスの供給期間ＳＤＰは、実質的に同じであり得る。
【００７２】
図９は、図８ａに示された駆動信号が供給される場合、電極上の壁電荷量を示したものであって、Ａスキャン電極群ＹＡ、Ｂスキャン電極群ＹＢ、Ｃスキャン電極群ＹＣ、及びＤスキャン電極群ＹＤ上の壁電荷量の差が減少する。
【００７３】
図１０は、本発明の第１の実施形態に係るプラズマディスプレイ装置のさらに他の駆動信号を示したものである。図１０に示すように、本発明の第１の実施形態に係るプラズマディスプレイ装置のスキャン駆動部は、最初にスキャンされるスキャン電極Ｙ１に最も低い最高電圧Ｖ２を有したセットアップパルスを供給し、最後にスキャンされるスキャン電極Ｙｎに最も高い最高電圧Ｖ９を有したセットアップパルスを供給することができる。すなわち、スキャン駆動部は、遅くスキャンされるスキャン電極ほどセットアップパルスの最高電圧値を高くし、スキャン電極のそれぞれに互いに異なる最高電圧を有したセットアップパルスを供給することができる。
【００７４】
スキャン駆動部は、リセット期間のセットダウン期間に、各スキャン電極群にセットダウンパルスを供給し、セットダウンパルスの供給期間ＳＤＰは、実質的に同じであり得る。
【００７５】
図１１は、スキャンパルス間の供給時点調整を示したものである。図１１に示すように、隣接した二つのスキャン電極間の誤放電を防止するために、スキャン駆動部は、スキャンパルスの供給時点を調整する。例えば、スキャン駆動部は、供給終了時点ｔ１においてスキャン電極Ｙａに供給されるスキャンパルスを中止し、休止期間Ｗ後、供給開始時点ｔ２においてスキャンパルスをスキャン電極Ｙｂに供給する。休止期間Ｗは、１ｕｓ（マイクロ秒）以上、１００ｕｓ（マイクロ秒）以下であり得る。
【００７６】
図１２ａないし図１２ｄは、本発明の第１の実施形態に係るプラズマディスプレイ装置のさらに他の駆動信号を示したものである。
【００７７】
図１２ａに示すように、セットアップパルスが供給される期間Ｓ１、Ｓ２の差によって本発明の第１の実施形態に係るプラズマディスプレイ装置のスキャン駆動部は、スキャン順序が遅いほど、セットアップパルスの最高電圧を高めることができる。例えば、図１２ａ及び図１２ｂに示すように、スキャン駆動部は、傾きの同一なセットアップパルスをＡスキャン電極群とＢスキャン電極群に供給する。特に、スキャン駆動部は、Ａスキャン電極群に供給されるセットアップパルスの供給期間Ｓ１がＢスキャン電極群に供給されるセットアップパルスの供給期間Ｓ２より短くする。
【００７８】
スキャン駆動部は、リセット期間のセットダウン期間に、各スキャン電極群にセットダウンパルスを供給し、セットダウンパルスの供給期間ＳＤＰは、実質的に同じであり得る。
【００７９】
図１２ｃは、図１２ａの駆動信号を形成するためのスキャン駆動部を示したものであって、図１２ｄは、図１２ｃのスキャン駆動部の動作のためのタイミングチャートを示したものである。
【００８０】
図１２ｃのスキャン駆動部は、セットアップパルスの供給期間の差を形成するために、Ａスキャン電極群にセットアップパルスを供給するスキャンドライブ集積回路１４０−１とＢスキャン電極群にセットアップパルスを供給するスキャンドライブ集積回路１４０−２とを含む。
【００８１】
図１２ｄに示すように、リセット期間においてエネルギー回収回路部１１０がサステイン電圧Ｖｓを供給し、電圧調整キャパシタＣ２がスキャン基準電圧Ｖｓを格納し、セットアップ／スキャン共通スイッチＱｃｏｍがターンオンする。スキャンドライブ集積回路１４０−１、１４０−２のスキャントップスイッチＱａＨ、ＱｂＨがターンオンされ、スキャンボトムスイッチＱａＬ、ＱｂＬはターンオフされる。これにより、Ａスキャン電極群ＹａとＢスキャン電極群Ｙｂの電圧が第１の電圧Ｖ１まで立ち上がる。
【００８２】
エネルギー回収回路部１１０がサステイン電圧Ｖｓ＝Ｖ１を供給する。電圧調整キャパシタＣ２は、スキャン基準電圧Ｖｓｃを格納し、セットアップ／スキャン共通スイッチＱｃｏｍがターンオンする。スキャンドライブ集積回路１４０−１、１４０−２のスキャントップスイッチＱａＨ、ＱｂＨのターンオン状態とスキャンボトムスイッチＱａＬ、ＱｂＬのターンオフ状態は維持される。これにより、Ａスキャン電極群ＹａとＢスキャン電極群Ｙｂの電圧が第１の電圧Ｖ１から次第に立ち上がる。
【００８３】
スキャンドライブ集積回路１４０−１のスキャントップスイッチＱａＨがｔ１時点においてターンオフされ、スキャンボトムスイッチＱａＬがｔ１時点においてターンオンされる。また、スキャンドライブ集積回路１４０−２のスキャントップスイッチＱｂＨとスキャンボトムスイッチＱｂＬは、ｔ１時点においてスイッチ状態を維持する。これにより、Ａスキャン電極群Ｙａの電圧は、第２の電圧Ｖ２から立ち下がり、Ｂスキャン電極群Ｙｂの電圧は、第３の電圧Ｖ３まで立ち上がる。
【００８４】
（第２の実施形態）
図１３は、本発明の第２の実施形態に係るプラズマディスプレイ装置を示したものである。図１３に示すように、本発明の第１の実施形態に係るプラズマディスプレイ装置は、プラズマディスプレイパネル１００、データ駆動部１０１、スキャン駆動部１０２及びサステイン駆動部１０３を含む。プラズマディスプレイパネル１００、データ駆動部１０１及びサステイン駆動部１０３は、実施形態１と同じであるため、詳細な説明を省略する。
【００８５】
スキャン駆動部１０２は、リセット期間のセットアップ期間及びセットダウン期間の間、セットアップパルス及びセットダウンパルスをスキャン電極Ｙ１ないしＹｎに供給する。また、スキャン駆動部１０２は、アドレス期間にスキャンパルス、サステイン期間にサステインパルスをスキャン電極Ｙ１ないしＹｎに供給する。
【００８６】
本発明の第２の実施形態に係るプラズマディスプレイ装置のスキャン駆動部の動作を図１４ａと図１４ｂを参照して詳細に説明する。
【００８７】
図１４ａ及び図１４ｂは、本発明の第２の実施形態に係るプラズマディスプレイ装置のスキャン駆動部の動作を示したものである。セットアップ期間におけるスキャン駆動部の動作は、本発明の第１の実施形態と同じであるため、詳細な説明を省略する。
【００８８】
リセット期間のセットダウン期間においてセットダウン供給部１２０の第５のスイッチＱ５とスキャンドライブ集積回路１４０のボトムスイッチＱＬがターンオンする。これにより、スキャン電極Ｙに第２の可変抵抗ＶＲ２により調整されるチャネル幅を有したセットダウンパルスが供給される。セットダウンパルスの最低電圧は、第５のスイッチＱ５のターンオン維持期間によって決定される。すなわち、第５のスイッチＱ５のターンオン維持期間が大きくなるほど、セットダウンパルスの最低電圧は低くなる。
【００８９】
本発明の第２の実施形態に係るプラズマディスプレイ装置のスキャン駆動部により駆動されるスキャン電極群の種類は、図３ないし図５に示された第１の実施形態の内容と同じであるため、詳細な説明を省略する。
【００９０】
図１５ａ及び図１５ｂは、本発明の第２の実施形態に係るプラズマディスプレイ装置の駆動信号を示したものである。
【００９１】
スキャン駆動部は、Ｂスキャン電極群にＡスキャン電極群より遅くスキャンパルスを供給する。スキャン駆動部は、リセット期間のセットダウン期間において第１の電圧Ｖ１から第２の電圧Ｖ２まで立ち下がる第１のセットアップパルスをＡスキャン電極群に供給し、第１の電圧Ｖ１から第２の電圧Ｖ２より高い第３の電圧Ｖ３まで立ち上がる第２のセットアップパルスをＢスキャン電極群に供給する。これにより、図１５ｂに示すように、第１のセットアップパルスの第２の電圧Ｖ２が維持される持続期間ｄ１が第２のセットアップパルスの第３の電圧Ｖ３が維持される持続時間ｄ２より短いことができる。また、スキャン駆動部がタイミング制御を容易にするために、第１のセットアップパルスの傾きと第２のセットアップパルスの傾きとは、実質的に同じであり得る。
【００９２】
スキャン駆動部は、リセット期間のセットアップ期間に、各スキャン電極群にセットアップパルスを供給し、セットアップパルスの供給期間ＳＵＰは、実質的に同じであり得る。
【００９３】
図１５ｂは、図１５ａの第１のセットアップパルス及び第２のセットアップパルスを詳細に示したものである。図１５ｂに示すように、スキャン順序の早いＡスキャン電極群に供給される第１のセットアップパルスの最高電圧Ｖ２は、スキャン順序の遅いＢスキャン電極群に供給される第２のセットアップパルスの最高電圧Ｖ３より低い。これにより、Ａスキャン電極群のリセット放電の強さは、Ｂスキャン電極群のリセット放電の強さより弱く、Ａスキャン電極群の壁電荷量もやはりＢスキャン電極群の壁電荷量より少ない。言い換えれば、Ｂスキャン電極群におけるセットダウンパルスによる壁電荷の消去放電をＡスキャン電極群よりも弱くすることにより、リセット期間終了時点におけるＢスキャン電極群の壁電荷量をＡスキャン電極群の壁電荷量よりも大きくする。
【００９４】
したがって、Ｂスキャン電極群上の壁電荷が空間電荷と結合して消去される電荷量が、Ａスキャン電極群上の壁電荷が空間電荷と結合して消去される電荷量より多くても、Ｂスキャン電極群上の壁電荷量がＡスキャン電極群上の壁電荷量より多いので、Ａスキャン電極群上の壁電荷量とＢスキャン電極群上の壁電荷量の差は減少する。すなわち、リセット期間終了時点におけるＢスキャン電極群の壁電荷量をＡスキャン電極群よりも大きくすることにより、アドレス期間においてスキャン順序によって発生する壁電荷量の差を補償することができる。
【００９５】
図１６ａないし図１６ｄは、本発明の第２の実施形態に係るプラズマディスプレイ装置のさらに他の駆動信号を示したものである。
【００９６】
図１６ａのＡスキャン電極群及びＢスキャン電極群は、それぞれ１０個及び９０個のスキャン電極を含み、図１６ｂのＡスキャン電極群及びＢスキャン電極群は、それぞれ９０個及び１０個のスキャン電極を含む。
【００９７】
図１６ａに示すように、スキャン駆動部は、Ａスキャン電極群に第１の電圧Ｖ１から第２の電圧Ｖ２まで次第に立ち上がる第１のセットダウンパルスを供給し、Ａスキャン電極群より遅くスキャンされるＢスキャン電極群に第１の電圧Ｖ１から第３の電圧Ｖ３まで次第に立ち上がる第２のセットダウンパルスを供給する。第３の電圧Ｖ３は、第２の電圧Ｖ２より高い。
【００９８】
図１６ｂに示すように、スキャン駆動部は、Ａスキャン電極群に第１の電圧Ｖ１から第２の電圧Ｖ２’まで次第に立ち下がる第２のセットダウンパルスを供給し、Ａスキャン電極群より遅くスキャンされるＢスキャン電極群に第１の電圧Ｖ１から第３の電圧Ｖ３’まで次第に立ち上がる第２のセットアップパルスを供給する。第３の電圧Ｖ３’は第２の電圧Ｖ２’より高い。
【００９９】
スキャン駆動部は、リセット期間のセットダウン期間に、各スキャン電極群にセットダウンパルスを供給し、セットダウンパルスの供給期間ＳＤＰは、実質的に同じであり得る。
【０１００】
図１６ｃに示すように、図１６ｂの第３の電圧Ｖ３’が図１６ａの第３の電圧Ｖ３より高く、図１６ｂの第３の電圧Ｖ３’が維持される持続期間ｄ４が図１６ａの第３の電圧Ｖ３が維持される持続期間ｄ２より短い。また、図１６ｂの第２の電圧Ｖ２’は、図１６ａの第２の電圧Ｖ２と実質的に同じである。すなわち、Ａスキャン電極群に含まれたスキャン電極の個数が増加するほど、第３の電圧の大きさは増加することができる。
【０１０１】
図１６ｂの第３の電圧Ｖ３’が図１６ａの第３の電圧Ｖ３より高い理由は、遅くスキャンされるＢスキャン電極群上の壁電荷量と、早くスキャンされるＡスキャン電極群上の壁電荷量との差を十分に補償するためである。
【０１０２】
図１７ａ及び図１７ｂは、本発明の第２の実施形態に係るプラズマディスプレイ装置のさらに他の駆動信号を示したものである。
【０１０３】
図１７ａに示すように、スキャン駆動部は、Ａスキャン電極群、Ｂスキャン電極群、Ｃスキャン電極群、及びＤスキャン電極群に順次セットダウンパルスを供給し、Ａスキャン電極群、Ｂスキャン電極群、Ｃスキャン電極群、及びＤスキャン電極群のそれぞれに最低電圧Ｖ２、Ｖ３、Ｖ４、Ｖ５が互いに異なるセットアップパルスを供給することができる。図１７ｂに示すように、スキャン順序が遅れるほど、セットダウンパルスの最低電圧は高まることにより、スキャン順序の遅いスキャン電極上の壁電荷が空間電荷と結合して消去される電荷量が補償される。すなわち、スキャン順序が遅くなるほどセットダウンパルスによる消去放電を弱めて、リセット期間終了時点の壁電荷量を大きくし、アドレス期間における壁電荷量の減少を補償する。これにより、アドレス期間に安定したアドレス放電が生じ、放電セルの位置による輝度差が減少する。また、早くスキャンされるほど、セットアップパルスの最高電圧及び暗放電が減少してコントラスト特性が改善される。
【０１０４】
スキャン駆動部は、リセット期間のセットダウン期間に、各スキャン電極群にセットダウンパルスを供給し、セットダウンパルスの供給期間ＳＵＰは、実質的に同じであり得る。
【０１０５】
図１８は、本発明の第２の実施形態に係るプラズマディスプレイ装置のさらに他の駆動信号を示したものである。図１８に示すように、本発明の第２の実施形態に係るプラズマディスプレイ装置のスキャン駆動部は、最初にスキャンされるスキャン電極Ｙ１に最も低い最低電圧Ｖ２を有したセットダウンパルスを供給し、最後にスキャンされるスキャン電極Ｙｎに最も高い最低電圧Ｖ９を有したセットダウンパルスを供給することができる。
【０１０６】
図１９は、スキャンパルス間の供給時点調整を示したものである。図１９に示すように、隣接した二つのスキャン電極間の誤放電を防止するために、スキャン駆動部は、スキャンパルスの供給時点を調整する。例えば、スキャン駆動部は、供給終了時点ｔ１にスキャン電極Ｙａに供給されるスキャンパルスを中止し、休止期間Ｗ後、供給開始時点ｔ２にスキャンパルスをスキャン電極Ｙｂに供給する。休止期間Ｗは、１ｕｓ（マイクロ秒）以上、１００ｕｓ（マイクロ秒）以下であり得る。
【０１０７】
図２０ａ及び図２０ｂは、本発明の第２の実施形態に係るプラズマディスプレイ装置のさらに他の駆動信号を示したものである。
【０１０８】
図２０ａに示すように、セットダウンパルスが供給される期間Ｓ１、Ｓ２の差によって本発明の第２の実施形態に係るプラズマディスプレイ装置のスキャン駆動部は、スキャン順序が遅いほど、セットダウンパルスの最低電圧を高めることができる。例えば、図２０ａ及び図２０ｂに示すように、スキャン駆動部は、傾きが同一なセットダウンパルスをＡスキャン電極群とＢスキャン電極群に供給し、Ａスキャン電極群に供給されるセットダウンパルスの供給期間Ｓ１がＢスキャン電極群に供給されるセットダウンパルスの供給期間Ｓ２より長くする。
【０１０９】
図２０ｃは、本発明の第２の実施形態に係るスキャン駆動部の動作のためのタイミングチャートを示したものである。図２０ｃのタイミングチャートに対する説明は、図１２ｃのスキャン駆動部を通じてなされる。
【０１１０】
リセット期間のセットダウン期間においてセットダウン供給部１５０の第５のスイッチＱ５がターンオンする。また、スキャンドライブ集積回路１４０−１、１４０−２のスキャンボトムスイッチＱａＬ、ＱｂＬがターンオンされ、スキャントップスイッチＱａＨ、ＱｂＨはターンオフされる。これにより、Ａスキャン電極群ＹａとＢスキャン電極群Ｙｂの電圧が第１の電圧Ｖ１から次第に立ち下がる。
【０１１１】
スキャンドライブ集積回路１４０−２のスキャンボトムスイッチＱｂＬがｔ１時点においてターンオフされ、スキャントップスイッチＱｂＨがｔ１時点においてターンオンされる。また、スキャンドライブ集積回路１４０−１のスキャントップスイッチＱａＨとスキャンボトムスイッチＱａＬはｔ１時点においてスイッチ状態を維持する。これにより、Ａスキャン電極群Ｙａの電圧は、第２の電圧Ｖ２まで立ち下がり、Ｂスキャン電極群Ｙｂの電圧は、第３の電圧Ｖ３まで立ち下がる。
【０１１２】
（第３の実施形態）
図２１は、本発明の第３の実施形態に係るプラズマディスプレイ装置の駆動信号を示したものである。図２１に示すように、本発明の第３の実施形態に係るプラズマディスプレイ装置のスキャン駆動部は、スキャン順序の遅いほど、セットアップパルスの最高電圧及びセットダウンパルスの最低電圧を高くする。例えば、スキャン駆動部は、スキャン順序の早いＡスキャン電極群に第１の電圧Ｖ１から第２の電圧Ｖ２まで次第に立ち上がる第１のセットアップパルスを供給し、スキャン順序の遅いＢスキャン電極群に第１の電圧Ｖ１から第３の電圧Ｖ３まで立ち上がる第２のセットアップパルスを供給する。第３の電圧Ｖ３は、第２の電圧Ｖ２より高い。
【０１１３】
また、スキャン駆動部は、スキャン順序の早いＡスキャン電極群に第１の電圧Ｖ１から第４の電圧Ｖ４まで次第に立ち下がる第１のセットダウンパルスを供給し、スキャン順序の遅いＢスキャン電極群に第１の電圧Ｖ１から第５の電圧Ｖ５まで立ち下がる第２のセットダウンパルスを供給する。第５の電圧Ｖ５は、第３の電圧Ｖ３より高い。
すなわち、本実施形態では、スキャン順序が遅いスキャン電極ほど、セットアップ放電を強くし、かつ、セットダウン放電を弱くする。具体的には、スキャン順序が遅いスキャン電極ほど、セットアップパルスの最高電圧値を高くし、かつ、セットダウンパルスの最低電圧値を高くする。これにより、リセット期間終了時点において、スキャン順序が遅いスキャン電極ほど壁電荷量を大きくできる。そして、アドレス期間において、スキャン順序が遅いことによる壁電荷量の減少を補償することができ、その結果、各スキャン電極がスキャンされる時点における壁電荷量を均一に近づけることができる。
【０１１４】
本発明は、上記の実施形態に限定されるものではなく、本発明に係る技術的思想から逸脱しない範囲内で様々な変更が可能であり、それらも本発明の技術的範囲に属する。
【図面の簡単な説明】
【０１１５】
【図１ａ】本発明の第１の実施形態に係るプラズマディスプレイ装置を示した図である。
【図１ｂ】本発明の第１の実施形態に係るプラズマディスプレイ装置を示した図である。
【図２ａ】本発明の第１の実施形態に係るプラズマディスプレイ装置のスキャン駆動部の動作を示した図である。
【図２ｂ】本発明の第１の実施形態に係るプラズマディスプレイ装置のスキャン駆動部の動作を示した図である。
【図３】本発明の第１の実施形態に係るプラズマディスプレイ装置のスキャン駆動部により駆動されるスキャン電極群を示した図である。
【図４】本発明の第１の実施形態に係るプラズマディスプレイ装置のスキャン駆動部により駆動されるスキャン電極群を示した図である。
【図５】本発明の第１の実施形態に係るプラズマディスプレイ装置のスキャン駆動部により駆動されるスキャン電極群を示した図である。
【図６ａ】本発明の第１の実施形態に係るプラズマディスプレイ装置の駆動信号を示した図である。
【図６ｂ】本発明の第１の実施形態に係るプラズマディスプレイ装置の駆動信号を示した図である。
【図７ａ】本発明の第１の実施形態に係るプラズマディスプレイ装置のさらに他の駆動信号を示した図である。
【図７ｂ】本発明の第１の実施形態に係るプラズマディスプレイ装置のさらに他の駆動信号を示した図である。
【図７ｃ】本発明の第１の実施形態に係るプラズマディスプレイ装置のさらに他の駆動信号を示した図である。
【図７ｄ】本発明の第１の実施形態に係るプラズマディスプレイ装置のさらに他の駆動信号を示した図である。
【図８ａ】本発明の第１の実施形態に係るプラズマディスプレイ装置のさらに他の駆動信号を示した図である。
【図８ｂ】本発明の第１の実施形態に係るプラズマディスプレイ装置のさらに他の駆動信号を示した図である。
【図９】図８ａに示された駆動信号が供給される場合、電極上の壁電荷量を示した図である。
【図１０】本発明の第１の実施形態に係るプラズマディスプレイ装置のさらに他の駆動信号を示した図である。
【図１１】スキャンパルス間の供給時点調整を示した図である。
【図１２ａ】本発明の第１の実施形態に係るプラズマディスプレイ装置のさらに他の駆動信号を示した図である。
【図１２ｂ】本発明の第１の実施形態に係るプラズマディスプレイ装置のさらに他の駆動信号を示した図である。
【図１２ｃ】図１２ａの駆動信号を形成するためのスキャン駆動部を示した図である。
【図１２ｄ】図１２ｃのスキャン駆動部の動作のためのタイミングチャートを示した図である。
【図１３】本発明の第２の実施形態に係るプラズマディスプレイ装置を示した図である。
【図１４ａ】本発明の第２の実施形態に係るプラズマディスプレイ装置のスキャン駆動部の動作を示した図である。
【図１４ｂ】本発明の第２の実施形態に係るプラズマディスプレイ装置のスキャン駆動部の動作を示した図である。
【図１５ａ】本発明の第２の実施形態に係るプラズマディスプレイ装置の駆動信号を示した図である。
【図１５ｂ】本発明の第２の実施形態に係るプラズマディスプレイ装置の駆動信号を示した図である。
【図１６ａ】本発明の第２の実施形態に係るプラズマディスプレイ装置のさらに他の駆動信号を示した図である。
【図１６ｂ】本発明の第２の実施形態に係るプラズマディスプレイ装置のさらに他の駆動信号を示した図である。
【図１６ｃ】本発明の第２の実施形態に係るプラズマディスプレイ装置のさらに他の駆動信号を示した図である。
【図１６ｄ】本発明の第２の実施形態に係るプラズマディスプレイ装置のさらに他の駆動信号を示した図である。
【図１７ａ】本発明の第２の実施形態に係るプラズマディスプレイ装置のさらに他の駆動信号を示した図である。
【図１７ｂ】本発明の第２の実施形態に係るプラズマディスプレイ装置のさらに他の駆動信号を示した図である。
【図１８】本発明の第２の実施形態に係るプラズマディスプレイ装置のさらに他の駆動信号を示した図である。
【図１９】スキャンパルス間の供給時点調整を示した図である。
【図２０ａ】本発明の第２の実施形態に係るプラズマディスプレイ装置のさらに他の駆動信号を示した図である。
【図２０ｂ】本発明の第２の実施形態に係るプラズマディスプレイ装置のさらに他の駆動信号を示した図である。
【図２０ｃ】本発明の第２の実施形態に係るスキャン駆動部の動作のためのタイミングチャートを示した図である。
【図２１】本発明の第３の実施形態に係るプラズマディスプレイ装置の駆動信号を示した図である。
【図１ａ】
2007079574.tif 000003
【図１ｂ】
2007079574.tif 000004
【図２ａ】
2007079574.tif 000005
【図２ｂ】
2007079574.tif 000006
【図３】
2007079574.tif 000007
【図４】
2007079574.tif 000008
【図５】
2007079574.tif 000009
【図６ａ】
2007079574.tif 000010
【図６ｂ】
2007079574.tif 000011
【図７ａ】
2007079574.tif 000012
【図７ｂ】
2007079574.tif 000013
【図７ｃ】
2007079574.tif 000014
【図７ｄ】
2007079574.tif 000015
【図８ａ】
2007079574.tif 000016
【図８ｂ】
2007079574.tif 000017
【図９】
2007079574.tif 000018
【図１０】
2007079574.tif 000019
【図１１】
2007079574.tif 000020
【図１２ａ】
2007079574.tif 000021
【図１２ｂ】
2007079574.tif 000022
【図１２ｃ】
2007079574.tif 000023
【図１２ｄ】
2007079574.tif 000024
【図１３】
2007079574.tif 000025
【図１４ａ】
2007079574.tif 000026
【図１４ｂ】
2007079574.tif 000027
【図１５ａ】
2007079574.tif 000028
【図１５ｂ】
2007079574.tif 000029
【図１６ａ】
2007079574.tif 000030
【図１６ｂ】
2007079574.tif 000031
【図１６ｃ】
2007079574.tif 000032
【図１６ｄ】
2007079574.tif 000033
【図１７ａ】
2007079574.tif 000034
【図１７ｂ】
2007079574.tif 000035
【図１８】
2007079574.tif 000036
【図１９】
2007079574.tif 000037
【図２０ａ】
2007079574.tif 000038
【図２０ｂ】
2007079574.tif 000039
【図２０ｃ】
2007079574.tif 000040
【図２１】
2007079574.tif 000041